(57)【特許請求の範囲】
【請求項１】
複数のアプリケーションを備えて各アプリケーションの実行可能な携帯端末が通信可能な状態で接続される車載機器であって、
前記携帯端末との通信により当該携帯端末でのアプリケーションの実行を制御する端末アプリ制御手段と、
前記携帯端末でのアプリケーションの実行により生じる情報を当該携帯端末との通信により取得する情報取得手段と、
前記携帯端末において実行可能であって共通の所定処理を含む複数のアプリケーションを管理する同種アプリ管理手段とを有し、
前記端末アプリ制御手段は、前記携帯端末において前記同種アプリ管理手段にて管理される複数のアプリケーションのいずれかを実行させて当該アプリケーションに前記所定処理をさせる際に、管理される前記複数のアプリケーションにおける他のアプリケーションのうちの少なくとも１つを実行させて当該他のアプリケーションに前記所定処理をさせる同種アプリ制御手段を有し、
前記情報取得手段が、実行された複数のアプリケーションによる前記所定処理により生じる情報を取得する車載機器。
【請求項２】
前記情報取得手段にて取得された情報であって、実行された前記複数のアプリケーションによる前記所定処理により生じる情報を統合して処理結果情報を生成する処理結果情報生成手段を有する請求項１記載の車載機器。
【請求項３】
前記処理結果情報生成手段は、実行された前記複数のアプリケーションによる前記所定処理により生ずる実質的に同じ情報を重複させることなく前記処理結果情報を生成する請求項２記載の車載機器。
【請求項４】
利用者による操作部の所定操作に基づいて、管理される前記複数のアプリケーションにおける他のアプリケーションを実行すべきか否かを判定する判定手段を有し、
前記判定手段が前記他のアプリケーションを実行すべきと判定したときに、前記同種アプリ制御手段が管理される前記複数のアプリケーションにおける他のアプリケーションのうちの少なくとも１つを実行させて当該他のアプリケーションに前記所定処理をさせる請求項１乃至３のいずれかに記載の車載機器。
【請求項５】
前記携帯端末と通信して前記同種アプリ管理手段にて管理すべきアプリケーションを登録する同種アプリ登録手段を有する請求項１乃至４のいずれかに記載の車載機器。
【請求項６】
前記同種アプリ管理手段は、複数のアプリケーションを１つのグループとして管理する管理テーブルを有する請求項１乃至５のいずれかに記載の車載機器。
【請求項７】
共通の所定処理を含む複数のアプリケーションと該複数のアプリケーションそれぞれとの間で情報交換可能な集約アプリケーションとを含む複数のアプリケーションを備えて各アプリケーションの実行可能な携帯端末が通信可能な状態で接続される車載機器であって、
前記携帯端末との通信により当該携帯端末でのアプリケーションの実行を制御する端末アプリ制御手段と、
前記携帯端末でのアプリケーションの実行により生じる情報を当該携帯端末との通信により取得する情報取得手段とを有し、
前記端末アプリ制御手段は、前記共通の所定処理を含む複数のアプリケーションのいずれかを実行させる際に、前記集約アプリケーションを介して、前記アプリケーションに前記所定処理を実行させるとともに、前記共通の所定処理を含む他のアプリケーションを実行させて当該他のアプリケーションに前記所定処理をさせる同種アプリ制御手段を有し、
前記情報取得手段が、前記集約アプリケーションを介して、実行された複数のアプリケーションによる前記所定処理により生じる情報を取得する車載機器。
【請求項８】
利用者による操作部の所定操作に基づいて、前記共通の所定処理を含む他のアプリケーションを実行すべきか否かを判定する判定手段を有し、
前記判定手段が前記他のアプリケーションを実行すべきと判定したときに、前記同種アプリ制御手段が、前記集約アプリケーションを介して、前記アプリケーションに前記所定処理を実行させるとともに、前記他のアプリケーションに前記所定処理をさせる請求項７記載の車載機器。
【請求項９】
前記端末アプリ制御手段は、前記情報取得手段にて取得された前記共通の所定処理を含む複数のアプリケーションによる前記所定処理により生じた情報から１つの情報が選択された際に、その選択された情報を生じさせたアプリケーションによりその選択された情報を用いた処理を行わせる手段を有する請求項１乃至８のいずれかに記載の車載機器。
【請求項１０】
前記共通の所定処理を含む複数のアプリケーションのそれぞれは、車両ナビゲーションに係るアプリケーションであり、
前記共通の所定処理は、車両ナビゲーションに用いられる施設についての検索処理である請求項１乃至９のいずれかに記載の車載機器。
【請求項１１】
車載機器に通信可能な状態で接続され、複数のアプリケーションを備えて各アプリケーションを実行する携帯端末であって、
前記複数のアプリケーションは、共通の所定処理を含む複数のアプリケーションと該複数のアプリケーションそれぞれとの間で情報交換可能な集約アプリケーションとを含み、
前記集約アプリケーションの実行により、前記共通の所定処理を含む複数のアプリケーションのいずれかが実行されている際に、前記車載機器からの要求に応じてその実行されているアプリケーションに前記所定処理をさせるとともに、前記共通の所定処理を含む他のアプリケーションを実行させて当該他のアプリケーションに前記所定処理をさせる手段と、
前記集約アプリケーションの実行により、前記複数のアプリケーションの前記所定処理により生じた情報を収集する手段とを有し、
収集された前記情報を前記車載機器に送信する携帯端末。
【発明の詳細な説明】
【技術分野】
【０００１】
本発明は、車載ＡＶ機器等の車載機器及び該車載機器に有線または無線にて接続可能なスマートフォン等の携帯端末に関する。
【背景技術】
【０００２】
従来、ナビゲーションに係るアプリケーション等、複数の同種のアプリケーションを備えた携帯端末が提案されている（特許文献１参照）。この携帯端末は、自動車用ナビゲーションに係るアプリケーション及び歩行者用ナビゲーションに係るアプリケーションを備え、移動手段が変わる（自動車から徒歩、あるいは徒歩から自動車）毎に実行されるアプリケーションを切換えている。
【先行技術文献】
【特許文献】
【０００３】
【特許文献１】特開２００７−６４８４６号公報
【発明の概要】
【発明が解決しようとする課題】
【０００４】
ところで、複数のアプリケーションを備えた携帯端末を車載機器に接続し、車載機器にて携帯端末の種々のアプリケーションを利用することが考えられる。このような構成において、複数の同種のアプリケーションで共通の処理、例えば、複数のナビゲーションアプリケーションにて同じ検索条件（施設の種類、地域範囲等）での施設検索処理を行わせ、その検索結果を得るようすることは、より多くの検索結果を得ることができる点で好ましい。
【０００５】
しかしながら、この場合、利用者は、車載機器においてアプリケーションごとに決まった操作を行わなければならないため、例えば、複数のナビゲーションアプリケーションにおいて同じ検索条件での施設検索処理を行わせる場合でも、その複数のナビゲーションアプリケーションのそれぞれを別々に動作させて、その都度その施設検索処理をさせるための操作が必要になってしまう。このため、より多くの操作が必要となり、また、その処理結果を得るためにより多くの時間を要してしまう。
【０００６】
本発明は、このような事情に鑑みてなされたもので、より簡易な操作にて携帯端末に備えられた複数の同種のアプリケーションにて共通の処理を実行させてより効率的に情報を得ることができるような車載機器を提供するものである。
【課題を解決するための手段】
【０００７】
本発明に係る車載機器は、複数のアプリケーションを備えて各アプリケーションの実行可能な携帯端末が通信可能な状態で接続される車載機器であって、前記携帯端末との通信により当該携帯端末でのアプリケーションの実行を制御する端末アプリ制御手段と、前記携帯端末でのアプリケーションの実行により生じる情報を当該携帯端末との通信により取得する情報取得手段と、前記携帯端末において実行可能であって共通の所定処理を含む複数のアプリケーションを管理する同種アプリ管理手段とを有し、前記端末アプリ制御手段は、前記携帯端末において前記同種アプリ管理手段にて管理される複数のアプリケーションのいずれかを実行させて当該アプリケーションに前記所定処理をさせる際に、管理される前記複数のアプリケーションにおける他のアプリケーションのうちの少なくとも１つを実行させて当該他のアプリケーションに前記所定処理をさせる同種アプリ制御手段を有し、前記情報取得手段が、実行された複数のアプリケーションによる前記所定処理により生じる情報を取得する構成となる。
【０００８】
このような構成により、携帯端末において実行可能であって共通の所定処理を含む複数のアプリケーションが管理され、その管理される複数のアプリケーションのいずれかを実行させて当該アプリケーションに前記所定処理をさせる際に、その管理される前記複数のアプリケーションにおける他のアプリケーションのうちの少なくとも１つが実行されて当該他のアプリケーションにて前記所定処理がなされ、その実行された複数のアプリケーションによる前記所定処理により生じる情報が取得されるようになる。このため、前記複数のアプリケーションのいずれかを実行させて当該アプリケーションに前記所定処理をさせようとすると、そのアプリケーションによる所定処理により生ずる情報だけでなく、他のアプリケーションによる当該所定処理により生ずる情報をも得ることができるようになる。
【０００９】
本発明に係る車載機器において、前記情報取得手段にて取得された情報であって、実行された前記複数のアプリケーションによる前記所定処理により生じる情報を統合して処理結果情報を生成する処理結果情報生成手段を有する構成とすることができる。
【００１０】
このような構成により、複数のアプリケーションによる所定処理により生じる情報を統合した処理結果情報が生成されるので、複数のアプリケーションによる所定処理により生じる別々の情報が統合された処理結果情報として利用者に提供することができるようになる。
【００１１】
また、本発明に係る車載機器において、前記処理結果情報生成手段は、実行された前記複数のアプリケーションによる前記所定処理により生ずる実質的に同じ情報を重複させることなく前記処理結果情報を生成する構成とすることができる。
【００１２】
このような構成により、処理結果情報に実質的に同じ情報が含まれなくなるので、無駄の無い処理結果情報を得ることができるようになる。
【００１３】
また、本発明に係る車載機器において、利用者による操作部の所定操作に基づいて、管理される前記複数のアプリケーションにおける他のアプリケーションを実行すべきか否かを判定する判定手段を有し、前記判定手段が前記他のアプリケーションを実行すべきと判定したときに、前記同種アプリ制御手段が管理される前記複数のアプリケーションにおける他のアプリケーションのうちの少なくとも１つを実行させて当該他のアプリケーションに前記所定処理をさせる構成とすることができる。
【００１４】
このような構成により、管理される複数のアプリケーションのいずれかにより所定処理がなされる際に、利用者の操作部の所定操作に基づいて、管理される前記複数のアプリケーションにおける他のアプリケーションのうちの少なくとも１つを実行させて当該他のアプリケーションに前記所定の処理をさせるか否かが決まるようになるので、利用者の意思に応じて、複数のアプリケーションによる所定処理を行わせることができるようになる。
【００１５】
また、本発明に係る車載機器において、前記携帯端末と通信して前記同種アプリ管理手段にて管理すべきアプリケーションを登録する同種アプリ登録手段を有する構成とすることができる。
【００１６】
このような構成により、登録されたアプリケーションが同種アプリ管理手段により管理されるようになるので、所定処理により生ずる情報を得るための複数のアプリケーションを任意に決めることができる。
【００１７】
更に、本発明に係る車載機器において、前記同種アプリ管理手段は、複数のアプリケーションを１つのグループとして管理する管理テーブルを有する構成とすることができる。
【００１８】
このような構成により、管理テーブルを用いて所定処理により生ずる情報を得るための複数のアプリケーションを１つのグループとして管理できるようになる。
【００１９】
本発明に係る車載機器は、共通の所定処理を含む複数のアプリケーションと該複数のアプリケーションそれぞれとの間で情報交換可能な集約アプリケーションとを含む複数のアプリケーションを備えて各アプリケーションの実行可能な携帯端末が通信可能な状態で接続される車載機器であって、前記携帯端末との通信により当該携帯端末でのアプリケーションの実行を制御する端末アプリ制御手段と、前記携帯端末でのアプリケーションの実行により生じる情報を当該携帯端末との通信により取得する情報取得手段とを有し、前記端末アプリ制御手段は、前記共通の所定処理を含む複数のアプリケーションのいずれかを実行させる際に、前記集約アプリケーションを介して、前記アプリケーションに前記所定処理を実行させるとともに、前記共通の所定処理を含む他のアプリケーションを実行させて当該他のアプリケーションに前記所定処理をさせる同種アプリ制御手段を有し、前記情報取得手段が、前記集約アプリケーションを介して、実行された複数のアプリケーションによる前記所定処理により生じる情報を取得する構成となる。
【００２０】
このような構成により、共通の所定処理を含む複数のアプリケーションのいずれかを実行させる際に、携帯端末の有する集約アプリケーションを介して、当該アプリケーションとともに共通の前記所定処理を含む他のアプリケーションが実行されてそれら複数のアプリケーションにて所定処理がなされ、各アプリケーションでの前記所定処理により生じる情報が前記集約アプリケーションを介して取得されるようになる。このため、前記複数のアプリケーションのいずれかを実行させて当該アプリケーションに前記所定処理をさせようとすると、そのアプリケーションによる所定処理により生ずる情報だけでなく、他のアプリケーションによる当該所定処理により生ずる情報をも得ることができるようになる。
【００２１】
本発明に係る車載機器において、利用者による操作部の所定操作に基づいて、前記共通の所定処理を含む他のアプリケーションを実行すべきか否かを判定する判定手段を有し、前記判定手段が前記他のアプリケーションを実行すべきと判定したときに、前記同種アプリ制御手段が、前記集約アプリケーションを介して、前記アプリケーションに前記所定処理を実行させるとともに、前記他のアプリケーションに前記所定処理をさせる構成とすることができる。
【００２２】
このような構成により、利用者の操作部の操作に基づいて、集約アプリケーションを介して共通の所定処理を含む複数のアプリケーションに当該所定処理をさせるか否かが決まるようになるので、利用者の意思に応じて、複数のアプリケーションによる所定処理を行わせることができるようになる。
【００２３】
更に、本発明に係る車載機器において、前記端末アプリ制御手段は、前記情報取得手段にて取得された前記共通の所定処理を含む複数のアプリケーションによる前記所定処理により生じた情報から１つの情報が選択された際に、その選択された情報を生じさせたアプリケーションによりその選択された情報を用いた処理を行わせる手段を有する構成とすることができる。
【００２４】
このような構成により、共通の所定処理を含む複数のアプリケーションによる当該所定処理により生じた情報から選択された１つの情報が、その選択された情報を生じさせたアプリケーションにより用いられて処理されるようになるので、その選択された情報をより適切に処理することができるようになる。
【００２５】
本発明に係る車載機器において、前記共通の所定処理を含む複数のアプリケーションのそれぞれは、車両ナビゲーションに係るアプリケーションであり、前記共通の所定処理は、車両ナビゲーションに用いられる施設についての検索処理である構成とすることができる。
【００２６】
このような構成により、複数の車両ナビゲーションに係るアプリケーションのいずれかを実行させる際に、当該アプリケーションとともに他の車両ナビゲーションに係るアプリケーションが実行されてそれら複数の車両ナビゲーションに係るアプリケーションにて施設についての検索処理がなされ、各車両ナビゲーションに係るアプリケーションでの前記施設についての検索処理により得られた施設に関する情報が取得されるようになる。このため、前記複数の車両ナビゲーションに係るアプリケーションのいずれかを実行させて当該アプリケーションに施設についての検索処理をさせようとすると、そのアプリケーションによる施設についての検索処理により得られる施設に関する情報だけでなく、他の車両ナビゲーションに係るアプリケーションによる施設についての検索処理により得られる施設に関する情報をも得ることができるようになる。
【００２７】
本発明に係る携帯端末は、車載機器に通信可能な状態で接続され、複数のアプリケーションを備えて各アプリケーションを実行する携帯端末であって、前記複数のアプリケーションは、共通の所定処理を含む複数のアプリケーションと該複数のアプリケーションそれぞれとの間で情報交換可能な集約アプリケーションとを含み、前記集約アプリケーションの実行により、前記共通の所定処理を含む複数のアプリケーションのいずれかが実行されている際に、前記車載機器からの要求に応じてその実行されているアプリケーションに前記所定処理をさせるとともに、前記共通の所定処理を含む他のアプリケーションを実行させて当該他のアプリケーションに前記所定処理をさせる手段と、前記集約アプリケーションの実行により、前記複数のアプリケーションの前記所定処理により生じた情報を収集する手段とを有し、収集された前記情報を前記車載機器に送信する構成となる。
【００２８】
このような構成により、共通の所定処理を含む複数のアプリケーションのいずれかが実行されている際に、車載機器からの要求に応じて、集約アプリケーションの実行により、その実行されているアプリケーションに所定処理をさせるとともに、共通の前記所定処理を含む他のアプリケーションを実行させて当該他のアプリケーションに前記所定処理をさせ、前記複数のアプリケーションの前記所定処理により生じた情報が収集され、該情報が前記車載機器に送信されるので、前記複数のアプリケーションのいずれかによる所定処理により生ずる情報だけでなく、他のアプリケーションによる当該所定処理により生ずる情報をも車載機器に提供することができるようになる。
【発明の効果】
【００２９】
本発明に係る車載機器によれば、共通の所定処理を含む複数のアプリケーションのいずれかを実行させて当該アプリケーションに所定処理をさせようとすると、そのアプリケーションによる所定処理により生ずる情報だけでなく、他のアプリケーションによる当該所定処理により生ずる情報をも得ることができるようになるので、複数のアプリケーションに所定処理を行わせるための個々的な操作を行うことなく、より簡易な操作にて携帯端末に備えられた複数のアプリケーションにて共通の処理を実行させてより効率的に情報を得ることができるようになる。
【図面の簡単な説明】
【００３０】
【図１】本発明の実施の形態に係る車載機器及び該車載機器に接続されるスマートフォン（携帯端末）を示すブロック図である。
【図２】図１に示す車載機器の処理ユニットによるスマートフォン（携帯端末）に備えられた同種のアプリケーションを登録するための処理を示すフローチャートである。
【図３】スマートフォンが接続された車載機器の表示部に表示されるホーム画面の一例を示す図である。
【図４】複数の同種のアプリケーションをグループとして管理する管理テーブルを示す図である。
【図５】スマートフォンが接続された車載機器の表示部に同種アプリケーションの登録に際して表示されるメッセージの一例を示す図である。
【図６】本発明の第１の実施の形態に係る車載機器と該車載機器に物理的に接続されるスマートフォンが備える３つ（複数）のナビゲーションアプリケーションとの間の機能的な接続関係を示す図である。
【図７Ａ】３つのナビゲーションアプリケーションを含む複数のアプリケーションを備えたスマートフォン（携帯端末）が図４に示す関係にて通信接続された車載機器の処理ユニットでの処理の手順を示すフローチャート（その１）である。
【図７Ｂ】３つのナビゲーションアプリケーションを含む複数のアプリケーションを備えたスマートフォンが図４に示す関係にて通信接続された車載機器の処理ユニットでの処理の手順を示すフローチャート（その２）である。
【図７Ｃ】３つのナビゲーションアプリケーションを含む複数のアプリケーションを備えたスマートフォンと図４に示す関係にて通信接続された車載機器の処理ユニットでの処理の手順を示すフローチャート（その３）である。
【図８】スマートフォンが接続された車載機器の表示部に同種のアプリケーションによる処理を実行させる際に表示されるメッセージの一例を示す図である。
【図９】スマートフォンが接続された車載機器の表示部に表示された施設検索結果の一例を示す図である。
【図１０】スマートフォンが接続された車載機器の表示部に表示された施設検索結果の他の一例を示す図である。
【図１１】本発明の第２の実施の形態に係る車載機器と該車載機器に物理的に接続されるスマートフォンが備える３つ（複数）のナビゲーションアプリケーションとＮａｖｉ集約アプリケーションとの間の機能的な接続関係を示す図である。
【図１２Ａ】３つのナビゲーションアプリケーション及びナビゲーション集約アプリケーションを備えたスマートフォンと図１１に示す関係にて通信接続される車載機器における処理ユニットによる処理の手順を示すフローチャート（その１）である。
【図１２Ｂ】３つのナビゲーションアプリケーション及びナビゲーション集約アプリケーションを備えたスマートフォンと図１１に示す関係にて通信接続される車載機器における処理ユニットによる処理の手順を示すフローチャート（その２）である。
【発明を実施するための形態】
【００３１】
以下、本発明の実施の形態について図面を用いて説明する。
【００３２】
まず、本発明の第１の実施の形態に係る車載機器について説明する。
【００３３】
車載機器は図１に示すように構成される。図１において、車載機器１００は外部機器接続用のコネクタ１９を有し、コネクタ１９にはケーブルによってスマートフォン２０（携帯端末）が接続可能になっている。車載機器１００は、コンピュータユニット（ＣＰＵを含む）にて構成される処理ユニット１１を有しており、処理ユニット１１には、ＣＤやＤＶＤ等のディスク媒体から音楽や映像を再生するＡＶユニット１７が接続されている。更に、処理ユニット１１には、ＡＶユニット１７にて利用される情報やその他各種情報を記憶するための記憶部１４（例えば、ハードディスク）、車室内に設けられ、ＬＣＤ等により構成される表示部１３、操作ボタンや表示部１３内に構成されるタッチパネル等からなる操作部１２、及び車室内に設けられたスピーカ１６に音声信号を供給する出力回路１５が接続されている。
【００３４】
スマートフォン２０がケーブルにて接続されるコネクタ１９は、処理ユニット１１に接続され、処理ユニット１１は、ケーブル及びコネクタ１９を介してスマートフォン２０と通信可能となっている。スマートフォン２０は、ナビゲーションアプリケーション、情報検索アプリケーション、ゲーム等の複数のアプリケーションを備えており、スマートフォン１９独自にて各アプリケーションの実行が可能となるとともに、処理ユニット１１の制御のもと、各アプリケーションの実行が可能となる。スマートフォン２０が備える複数のアプリケーションには、複数の同種のアプリケーション、例えば、３つのナビゲーションアプリケーションＮａｖｉＡ、ＮａｖｉＢ、ＮａｖｉＣも含まれている。
【００３５】
この車載機器１００では、スマートフォン２０に備えられる複数のアプリケーションから、複数の同種のアプリケーションを１つのグループとして登録することができる。処理ユニット１１は、例えば、図２に示す手順に従って、複数の同種のアプリケーションを１つのグループとして登録するための処理を行う（同種アプリ登録手段）。
【００３６】
図２において、処理ユニット１１は、コネクタ１９にスマートフォン２０が接続されていることを確認すると（Ｓ１１）、スマートフォン２０と通信を行って、スマートフォン２０に備えられたアプリケーションに関する情報を取得し、実行可能なアプリケーションを特定する情報（例えば、アイコン）の一覧を表示部１３に例えば、図３に示すようなホーム画面として表示させる（Ｓ１２）。そして、処理ユニット１１は、同種のアプリケーションの登録処理を行う（Ｓ１３）。この登録処理では、操作部１２において、表示部１３に表示されたホーム画面の複数のアプリケーションを表す情報から１つのグループとすべきアプリケーションを特定する情報を選択するための所定操作がなされると、その選択操作に係るアプリケーションが１つのグループとして記憶部１４に格納された管理テーブル（同種アプリ管理手段）に登録される。例えば、図４に示すように、管理テーブルには、３つのナビゲーションアプリケーションＮａｖｉＡ、ＮａｖｉＢ、ＮａｖｉＣがグループＧ１として、また、２つの情報検索アプリケーションＥｎＡ、ＥｎＢがグループＧ２として登録される。
【００３７】
車載機器１００（処理ユニット１１）は、前述したようにグループＧ１として管理テーブル（図３参照）に登録された３つのナビゲーションアプリケーションＮａｖｉＡ、ＮａｖｉＢ、ＮａｖｉＣを備えるスマートフォン２０と通信を行って、図６に示すように、３つのナビゲーションアプリケーションＮａｖｉＡ、ＮａｖｉＢ、ＮａｖｉＣのそれぞれと個々的に情報交換が可能となる。スマートフォン２０が備える３つのナビゲーションアプリケーションＮａｖｉＡ、ＮａｖｉＢ、ＮａｖｉＣのそれぞれと機能的に接続される処理ユニット１１は、スマートフォン２０と通信を行いつつ図７Ａ〜図７Ｃに示す手順に従って処理を行う。
【００３８】
図７Ａにておいて、処理ユニット１１は、スマートフォン２０との接続を確認すると（Ｓ２１）、スマートフォン２０と通信を行って、スマートフォン２０に備えられたアプリケーションに関する情報を取得し、実行可能なアプリケーションを特定する情報（例えば、アイコン）の一覧を表示部１３にホーム画面（図３参照）として表示させる（Ｓ２２）。その後、処理ユニット１１は、表示部１３のホーム画面においてアプリケーションの選択操作（例えば、図３に示すホーム画面におけるアイコンの指定操作）がなされたか否かを監視する（Ｓ２３）。
【００３９】
この状態で、アプリケーションの選択操作がなされると（Ｓ２３でＹＥＳ）、処理ユニット１１は、選択されたアプリケーションがナビゲーションアプリケーションであるか否かを判定する（Ｓ２４）。選択されたアプリケーションがナビゲーションアプリケーションでない場合（Ｓ２４でＮＯ）、処理ユニット１１は、その選択されたアプリケーションをスマートフォン２０において起動させ、そのアプリケーションの実行により生じる情報をスマートフォン２０から取得し、その取得した情報（アプリケーションの実行により生じた情報）の加工、表示等の処理を行う（Ｓ２５：端末アプリ制御手段、情報取得手段）。処理ユニット１１は、そのアプリケーションによる処理が終了すると、再び、ホーム画面に戻ってアプリケーションの選択操作がなされるか否かの監視を行う（Ｓ２３）。
【００４０】
一方、選択されたアプリケーションがナビゲーションアプリケーション、例えば、ナビゲーションアプリケーションＮａｖｉＡであると（Ｓ２４でＹＥＳ）、処理ユニット１１は、その選択されたナビゲーションアプリケーションＮａｖｉＡをスマートフォン２０で起動させる（Ｓ２６：端末アプリ制御手段）。そして、処理ユニット１１は、そのナビゲーションアプリケーションＮａｖｉＡの実行により生じる情報をスマートフォン２０から取得し（情報取得手段）、その取得した情報の加工及び表示等に係る処理を行う（Ｓ２７）。これにより、車載機器１００では、ナビゲーションアプリケーションＮａｖｉＡの実行に基づいた車両ナビゲーションに係る情報出力、例えば、表示部１３に道路地図が表示されるとともにその道路地図上の車両位置に対応した位置に車両マークが表示され、目的地までの案内メッセージのスピーカ１６からの音声出力等がなされる。
【００４１】
処理ユニット１１は、操作部１２において、スマートフォン２０（ナビゲーションアプリケーションＮａｖｉＡ）に施設検索処理（例えば、周辺施設検索処理）を行わせるための操作がなされたか否かを監視しつつ（Ｓ２８）、前述したスマートフォン２０からの情報の取得、及びその取得した情報の加工及び表示等に係る処理（Ｓ２７）を行っている。その過程で、操作部１２において施設検索処理を行わせるための操作がなされると（Ｓ２８でＹＥＳ）、処理ユニット１１は、スマートフォン２０にナビゲーションアプリケーションＮａｖｉＡで施設検処理をさせる（Ｓ２９）。このとき、ナビゲーションアプリケーションＮａｖｉＡの実行により生じる情報（例えば、ガイダンス）に従って施設検索処理に必要な情報（例えば、施設種類、検索地域範囲等の検索条件等）の入力がなされ、その施設検索処理に必要な情報が処理ユニット１１からスマートフォン２０に提供される。
【００４２】
その後、処理ユニット１１は、ナビゲーションアプリケーションＮａｖｉＡと同一のグループ内の他のナビゲーションアプリケーションによる施設検索処理（以下、適宜グループ検索処理という）を行うか否かを判定する（Ｓ３０）。この判定処理では、記憶部１４に格納された管理テーブル（図４参照）が参照されて、例えば、図８に示すように、選択されたナビゲーションアプリケーションＮａｖｉＡと同一のグループに属する他のナビゲーションアプリケーションＮａｖｉＢ及びＮａｖｉＣが表示部１３に表示されるとともに、グループ検索処理を選択するか否かの決定を促すメッセージ、及び「ＹＥＳ」（選択）及び「ＮＯ」（非選択）のボタンが表示部１３に表示される。
【００４３】
利用者がグループ検索処理を希望して操作部１２により「ＹＥＳ」（選択）のボタンを操作すると、処理ユニット１１は、グループ検索処理を行うものと判定し（Ｓ３０でＹＥＳ）、図４に示す管理テーブルを参照して、ナビゲーションアプリケーションＮａｖｉＡと同一のグループＧ１に属する他のナビゲーションアプリケーションＮａｖｉＢ及びＮａｖｉＣをスマートフォン２０において起動させる（Ｓ３１：同種アプリ制御手段）。そして、処理ユニット１１は、それらナビゲーションアプリケーションＮａｖｉＢ及びＮａｖｉＣで前述したのと同じ検索条件のもとで施設検索処理をするようスマートフォン２０に指示する（Ｓ３２：同種アプリ制御手段）。その後、図７Ｂに示す処理に移り、処理ユニット１１は、スマートフォン２０からの検索結果の受信の待ち状態になる（Ｓ３３）。
【００４４】
スマートフォン２０は、車載機器１００（処理ユニット１１）の制御に基づいて、ナビゲーションアプリケーションＮａｖｉＡで施設検索処理を行うとともに、それに並行して、他のナビゲーションアプリケーションＮａｖｉＢ、ＮａｖｉＣで同じ検索条件での施設検索処理を行う（並列処理）。そして、実行されるナビゲーションアプリケーションによる施設検索処理での検索結果が得られる毎に、その検索結果を車載機器１００に送信する。このとき、検索結果とその検索結果を得るために実行されたナビゲーションアプリケーションを特定する情報とが対応付けられている。
【００４５】
図７Ｂにおいて、前述したようにスマートフォン２０からの検索結果の受信の待ち状態にある処理ユニット１１は、スマートフォン２０から検索結果を受信すると（Ｓ３３でＹＥＳ）、その検索結果をその検索結果を得るために実行されたナビゲーションアプリケーションを特定する情報とともに記憶部３４に格納する（Ｓ３４）。そして、処理ユニット１１は、ナビゲーションアプリケーションＮａｖｉＡ、ＮａｖｉＢ、ＮａｖｉＣの実行により得られた全ての検索結果を受信したか否かを監視しつつ（Ｓ３５）、同様の処理（Ｓ３３、Ｓ３４）を行う。
【００４６】
ナビゲーションアプリケーションＮａｖｉＡ、ＮａｖｉＢ、ＮａｖｉＣの実行により得られた全ての検索結果をスマートフォン２０から受信すると（Ｓ３５でＹＥＳ）、処理ユニット１１は、３つの検索結果を統合した統合検索結果を生成する（Ｓ３６：処理結果情報生成手段）。例えば、３つのナビゲーションアプリケーションＮａｖｉＡ、ＮａｖｉＢ、ＮａｖｉＣによる検索処理の結果（検索結果）として得られた施設情報から、実質的に同じ施設情報が重複しないようにして、統合検索結果としての施設情報のリストを生成する。なお、３つのナビゲーションアプリケーションＮａｖｉＡ、ＮａｖｉＢ、ＮａｖｉＣによる検索結果として得られた施設情報としての施設名、住所、電話番号等を比較することにより、２つの施設情報が実質的に同じであるか否かを判定することができる。
【００４７】
前述したようにして統合検索結果が生成されると（Ｓ３６）、処理ユニット１１は、その統合検索結果を、表示部１３に、例えば、図９に示す画面のように表示させる（Ｓ３７）。この画面では、検索結果として得られた施設情報（施設Ａ、施設Ｂ、施設Ｃ、施設Ｄ、施設Ｅ、施設Ｆ、施設Ｇ、施設Ｈ）に対応付けてその施設情報を得るために実行されたナビゲーションアプリケーションを特定する情報（ＮａｖｉＡ、ＮａｖｉＢ、ＮａｖｉＣ）が表示される。
【００４８】
表示部１３に統合検索結果としての施設情報のリストが表示された状態（図９参照）で、処理ユニット１１は、その統合検索結果の表示終了の操作がなされるか否か（Ｓ３８）及びその統合検索結果として表示された施設情報の選択操作がなされたか否か（Ｓ３９）の監視を行う。その過程で、利用者が、検索により得られた施設まで車両を走行させるために、希望の施設についての施設情報の選択操作を行うと（Ｓ３９でＹＥＳ）、処理ユニット１１は、その選択された施設を検索結果として得たナビゲーションアプリケーションによりその施設へのルート案内処理を行うようにスマートフォン２０に要求する（Ｓ４０：選択された情報を生じさせたアプリケーションによりその選択された情報を用いた処理を行わせる手段）。
【００４９】
この要求を受信したスマートフォン２０は、要求に係るナビゲーションアプリケーションにより要求に係る施設を目的地としたルート案内処理を行い、そのルート案内処理により生じる情報を車載機器１００に送信する。そして、処理ユニット１１は、スマートフォン２０から送信される情報（ルート案内処理により生じる情報）を取得し、その取得した情報の加工及び表示等の処理を行う（Ｓ４１）。これにより、車載機器１００において前記検索処理により得られた施設までのルート案内に係る情報出力が、その施設を検索結果として得たナビゲーションアプリケーションのルート案内処理により生じる情報に従ってなされる。
【００５０】
前記ルート案内に係る処理（Ｓ４１）が終了すると、図７Ａに戻って、処理ユニット１１は、スマートフォン２０に当初選択されたナビゲーションアプリケーションＮａｖｉＡを実行させて、スマートフォン２０からその実行により生じる情報を取得し、その取得した情報の加工及び表示等の処理を行う（Ｓ２７）。以後、車載機器１００では、スマートフォン２０にて実行されるナビゲーションアプリケーションＮａｖｉＡでの処理に基づいた処理がなされる。
【００５１】
なお、前述したように統合検索結果が表示部１３に表示された状態（図９参照）で、その表示を終了させる操作が操作部１２においてなされた（Ｓ３８でＹＥＳ）場合も、同様に、処理ユニット１１は、検索結果についての処理をスマートフォン２０に行わせることなく、図７ＡのステップＳ２７に戻り、当初選択されたナビゲーションアプリケーションＮａｖｉＡを実行させて、その実行により生じる情報を取得し、取得した情報の加工及び表示等の処理を行う。
【００５２】
一方、図７Ａに戻って、選択されたナビゲーションアプリケーションＮａｖｉＡをスマートフォン２０において実行させ（Ｓ２７、Ｓ２８）、そのナビゲーションアプリケーションＮａｖｉＡで施設検索処理をさせる（Ｓ２９）際に、表示部１３の図８に示す画面において「ＮＯ」のボタンの選択操作がなされて、グループ検索処理を行わないと判定されると（Ｓ３０でＮＯ）、処理ユニット１１は、図７Ｂに示すように、スマートフォン２０からのナビゲーションアプリケーションＮａｖｉＡによる施設検索結果の待ち状態になる（Ｓ４２）。
【００５３】
この場合、スマートフォン２０は、車載機器１００（処理ユニット１１）の制御（Ｓ２９）に基づいて、ナビゲーションアプリケーションＮａｖｉＡで施設検索処理を行う。そして、スマートフォン２０は、その施設検索結果を車載機器１００に送信する。
【００５４】
上述したように施設検索結果の待ち状態にある処理ユニット１１は、スマートフォン２０から送信される検索結果を取得すると（Ｓ４２でＹＥＳ）、その検索結果を記憶部１４に格納する（Ｓ４３）。そして、処理ユニット１１は、その検索結果を、表示部１３に、例えば、図１０に示す画面のように表示させる（Ｓ４４）。この画面では、検索結果として得られた施設情報（施設Ａ、施設Ｂ、施設Ｃ）が表示される。
【００５５】
その後、処理ユニット１１は、前述したのと同様、その検索結果の表示終了の操作がなされるか否か（Ｓ４５）及びその検索結果として表示された施設情報の選択操作がなされたか否か（Ｓ４６）の監視を行う。そして、施設情報の選択操作がなされれば（Ｓ４６でＹＥＳ）、処理ユニット１１は、スマートフォン２０に、ナビゲーションアプリケーションＮａｖｉＡでその選択された施設を目的地としたルート案内処理を行わせる（Ｓ４７）。また、検索結果の表示終了の操作がなされれば（Ｓ４５でＹＥＳ）、図７Ａに戻って、選択されたナビゲーションアプリケーションＮａｖｉＡの実行に係る処理を行う（Ｓ２７）。
【００５６】
前述したような本発明の第１の実施の形態に係る車載機器１００では、スマートフォン２０において実行可能な３つ（複数）のナビゲーションアプリケーションＮａｖｉＡ、ＮａｖｉＢ、ＮａｖｉＣがグループＧ１として管理テーブル（図４参照）により管理され、そのグループＧ１として管理される３つのナビゲーションアプリケーションＮａｖｉＡ、ＮａｖｉＢ、ＮａｖｉＣののうちの１つＮａｖｉＡを実行させて当該ナビゲーションアプリケーションＮａｖｉＡに施設検索処理をさせる際に、そのグループＧ１に属する他のナビゲーションアプリケーションＮａｖｉＢ、ＮａｖｉＣで施設検索処理もなされて、３のナビゲーションアプリケーションＮａｖｉＡ、ＮａｖｉＢ、ＮａｖｉＣによる施設検索処理の検索結果を得ることができるようになる。このため、１つのナビゲーションアプリケーションＮａｖｉＡに検索処理をさせようとすると、そのナビゲーションアプリケーションＮａｖｉＡによる施設検索処理での検索結果だけでなく、他のナビゲーションアプリケーションＮａｖｉＢ、ＮａｖｉＣによる施設検索処理での検索結果も得られるようになる。従って、３つのナビゲーションアプリケーションＮａｖｉＡ、ＮａｖｉＢ、ＮａｖｉＣで施設検索処理をさせる個々的な操作を行うことなく、より簡易な操作にてスマートフォン２０に備えられた３つのナビゲーションアプリケーションＮａｖｉＡ、ＮａｖｉＢ、ＮａｖｉＣにて施設検索処理を実行させて効率的に検索結果（図９参照）を得ることができるようになる。
【００５７】
また、３つのナビゲーションアプリケーションＮａｖｉＡ、ＮａｖｉＢ、ＮａｖｉＣによる施設検索処理での個々的な検索結果を統合した統合検索結果が生成され、それが表示部１３に表示されるので、利用者は、３つのナビゲーションアプリケーションＮａｖｉＡ、ＮａｖｉＢ、ＮａｖｉＣによる施設検索処理での個々的な検索結果を一括的に確認することができるようになる。更に、その統合検索結果には、実質的に同じ施設情報が含まれないので、無駄の無くその検索結果を利用者に提示することができるようになる。
【００５８】
更に、同種のアプリケーションとして管理されるべき複数のアプリケーションが利用者の操作に従って登録することができるので（図２、図４参照）、施設検索等の所定処理により生ずる情報を得るための複数の同種のアプリケーションを利用者の意思に従って決めることができるようになる。
【００５９】
また、管理される３つのナビゲーションアプリケーションＮａｖｉＡ、ＮａｖｉＢ、ＮａｖｉＣのうちの１つＮａｖｉＡにより施設検索処理がなされる際に、利用者の操作部１２の所定操作に基づいて、他のナビゲーションアプリケーションＮａｖｉＢ、ＮａｖｉＣに施設検索処理をさせる（グループ検索）か否かが決まるようになるので（図５参照）、利用者の意思に応じて、３つのナビゲーションアプリケーションにＮａｖｉＡ、ＮａｖｉＢ、ＮａｖｉＣよる施設検索を行わせることができるようになる。
【００６０】
更に、３つのナビゲーションアプリケーションＮａｖｉＡ、ＮａｖｉＢ、ＮａｖｉＣによる施設検索処理にて得られた検索結果としての施設情報から選択された１つの施設情報が、その選択された施設情報を生じさせたナビゲーションアプリケーションによりルート案内の目的地として処理されるので、その施設情報をルート案内の目的地としてより適切に処理することができるようになる。
【００６１】
なお、前述した車載機器１００では、複数の同種のアプリケーションを管理する管理テーブル（図４参照）は、車載機器１００にて生成されるものであったが、スマートフォン２０に予め備えられており、あるいは、スマートフォン２０にて予め生成された状態にあって、車載機器１００（処理ユニット１１）が必要に応じて、その管理テーブルをスマートフォン２０から取得するようにしてもよい。更に、１つのアプリケーションでの所定処理がなされるときに、予め定められた同種のアプリケーションでの処理を行うか否かをスマートフォン２０から車載機器１００に問い合わせるようにすることもできる。この場合、車載機器１００において、その問い合わせに応じて、同種のアプリケーションでの処理を行うか否かを決めることができる。
【００６２】
また、前述した車載機器１００では、管理テーブルで１つのグループとして管理されるアプリケーションのうちのいずれかが動作されるとき、所定の操作によって、残り全てのアプリケーションを動作させるものであったが、残りのアプリケーションの少なくとも１つを動作させるものであればよい。
【００６３】
次に、本発明の第２の実施の形態に係る車載機器について説明する。
【００６４】
この車載機器１００は、図１に示すものと同様のハードウエア構成となっている。また、この車載機器１００にコネクタ１９を介して接続可能なスマートフォン２０（携帯端末）は、前述したのとの同様に実行可能な複数のアプリケーションを備えている。スマートフォン２０が備える複数のアプリケーションには、同種の複数のアプリケーション、例えば、図１１に示すように、３つのナビゲーションアプリケーションＮａｖｉＡ、ＮａｖｉＢ、ＮａｖｉＣと、各ナビゲーションアプリケーションＮａｖｉＡ、ＮａｖｉＢ、ＮａｖｉＣのそれぞれとの間で情報交換可能なＮａｖｉ集約アプリケーションとが含まれている。そして、車載機器１００の処理ユニット１１は、図１１に示すように、スマートフォン２０と通信を行って、Ｎａｖｉ集約アプリケーションを介して３つのナビゲーションアプリケーションＮａｖｉＡ、ＮａｖｉＢ、ＮａｖｉＢとの情報交換が可能となっている。スマートフォン２０が備える３つのナビゲーションアプリケーションＮａｖｉＡ、ＮａｖｉＢ、ＮａｖｉＣとＮａｖｉ集約アプリケーションを介して機能的に接続され得る処理ユニット１１は、スマートフォン２０と通信を行いつつ、図１２Ａ及び図１２Ｂに示す手順に従って処理を行う。
【００６５】
図１２Ａにおいて、処理ユニット１１は、前述した第１の実施の形態に係る車載機器の場合と同様に、スマートフォン２０との接続を確認すると（Ｓ５１）、スマートフォン２０との通信により得られたホーム画面（図３参照）を表示部１３に表示させ（Ｓ５２）、そのホーム画面においてアプリケーションの選択がなされたか否かを監視する（Ｓ５３）。その過程で、アプリケーションの選択操作がなされると（Ｓ５３でＹＥＳ）、処理ユニット１１は、その選択されたアプリケーションがナビゲーションアプリケーションであるか否かを判定し（Ｓ２４）、ナビゲーションアプリケーションでなければ（Ｓ５４でＮＯ）、その選択されたアプリケーションをスマートフォン２０において起動させ、そのアプリケーションの実行により生じる情報をスマートフォン２０から取得し、その取得した情報の加工、表示等の処理を行う（Ｓ５５）。
【００６６】
一方、選択されたアプリケーションがナビゲーションアプリケーション、例えば、ナビゲーションアプリケーションＮａｖｉＡであると（Ｓ５４でＹＥＳ）、処理ユニット１１は、ナビゲーションアプリケーションＮａｖｉＡを特定する情報をスマートフォン２０に提供するとともに、Ｎａｖｉ集約アプリケーションをスマートフォン２０において起動させる（Ｓ５６）。スマートフォン２０では、Ｎａｖｉ集約アプリケーションが起動され、Ｎａｖｉ集約アプリケーションにより前記選択されたナビゲーションアプリケーションＮａｖｉＡが起動される。そして、ナビゲーションアプリケーションＮａｖｉＡの実行により生じる情報がＮａｖｉ集約アプリケーションを介してスマートフォン２０から車載機器１００の処理ユニット１１に送信される。処理ユニット１１は、そのナビゲーションアプリケーションＮａｖｉＡの実行により生じる情報を取得し、その取得した情報の加工及び表示等の処理を行う（Ｓ５７）。これにより、車載機器１００では、ナビゲーションアプリケーションＮａｖｉＡの実行に基づいた車両ナビゲーションの情報出力がなされる。
【００６７】
処理ユニット１１は、操作部１２において施設検索処理を行わせるための操作がなされているか否かを監視しつつ（Ｓ５８）、前述したようにナビゲーションアプリケーションＮａｖｉＡの実行により生じる情報をスマートフォン２０から取得し、その取得した情報の加工及び表示等の処理を行っている（Ｓ５７）。その過程で、操作部１２において施設検索処理を行わせるための操作がなされると（Ｓ５８でＹＥＳ）、処理ユニット１１は、施設検索処理の指示をスマートフォン２０に送信する（Ｓ５９：同種アプリ制御手段）。その施設検索処理の指示を受信したスマートフォン２０では、Ｎａｖｉ集約アプリケーションによる処理に従ってナビゲーションアプリケーションＮａｖｉＡに施設検索処理の指示がなされる。そして、その指示に従ったナビゲーションアプリケーションＮａｖｉＡの実行により生じる情報（例えば、ガイダンス）がＮａｖｉ集約アプリケーションを介してスマートフォン２０から車載機器１００に送信される。車載機器１００では、処理ユニット１１の制御のもと、スマートフォン２０からの前記情報に従って施設検索処理に必要な情報（例えば、施設種類、検索地域範囲等の検索条件等）の入力がなされ、その施設検索処理に必要な情報が処理ユニット１１からスマートフォン２０に送信される。
【００６８】
車載機器１００から送信される検索条件等の情報を取得したスマートフォン２０では、Ｎａｖｉ集約アプリケーションの処理に従ってナビゲーションアプリケーションＮａｖｉＡにより前記検索条件等の情報に基づいた施設検索処理がなされる。また、Ｎａｖｉ集約アプリケーションの処理に従って、他のナビゲーションアプリケーションＮａｖｉＢ、ＮａｖｉＣが順次起動され、それら他のナビゲーションアプリケーションＮａｖｉＢ、ＮａｖｉＣにより前記検索条件等の情報に基づいた施設検索処理が順次なされる。
【００６９】
スマートフォン２０では、Ｎａｖｉ集約アプリケーションにより、３つのナビゲーションアプリケーションＮａｖｉＡ、ＮａｖｉＢ、ＮａｖｉＣでなされる施設検索処理の結果が収集される。その収集された施設検索結果がＮａｖｉ集約アプリケーションによりスマートフォン２０から車載機器１００に送信される。
【００７０】
車載機器１００における処理ユニット１１は、前述したようにスマートフォン２０に施設検索処理の指示を送信した（Ｓ５９）後、図１２Ｂに示すように、スマートフォン２０（Ｎａｖｉ集約アプリケーション）からの施設検索結果を受信するか否かを監視している（Ｓ６０）。その過程で、スマートフォン２０からの施設検索結果を受信すると（Ｓ６０でＹＥＳ）、処理ユニット１１は、３つのナビゲーションアプリケーションＮａｖｉＡ、ＮａｖｉＢ、ＮａｖｉＣでなされる施設検索処理により得られた３種の施設検索結果からそれらを統合した統合検索結果を生成する（Ｓ６１）。この場合も、前述した第１の実施の形態に係る車載機器１００の場合と同様に、実質的に同じ施設情報が重複しないようにして、統合施設結果としての施設情報のリスト（図９参照）が生成される。
【００７１】
処理ユニット１１は、その統合検索結果としての施設情報のリストを表示部１３に表示させる（Ｓ６２：図９参照）。そして、処理ユニット１１は、表示部１３に統合検索結果としての施設情報のリストが表示された状態で、その統合検索結果の表示終了の操作がなされるか否か（Ｓ６３）及びその統合検索結果として表示された施設情報の選択操作がなされたか否か（Ｓ６４）の監視を行う。その過程で、利用者が、検索により得られた施設まで車両を走行させるために、希望の施設についての施設情報の選択操作を行うと（Ｓ６４でＹＥＳ）、処理ユニット１１は、その選択された施設を検索結果として得たナビゲーションアプリケーションによりその施設へのルート案内処理を行うようにスマートフォン２０に要求する（Ｓ６５）。その結果、スマートフォン２０は、要求に係るナビゲーションアプリケーションにより要求に係る施設を目的地としたルート案内処理を行い、そのルート案内処理により生じる情報をＮａｖｉ集約アプリケーションを介して車載機器１００に送信する。
【００７２】
スマートフォン２０から送信されるルート案内処理により生じる情報を取得する処理ユニット１１は、その取得した情報の加工及び表示等の処理を行う（Ｓ６６）。これにより、車載機器１００では、処理ユニット１１での制御のもと、前記検索処理により得られた施設までのルート案内に係る情報出力がなされる。
【００７３】
前記ルート案内に係る処理（Ｓ６６）が終了すると、図１２Ａに戻って、処理ユニット１１は、Ｎａｖｉ集約アプリケーションによって起動されたナビゲーションアプリケーションの実行により生じる情報をスマートフォン２０から取得し、その取得した情報の加工及び表示等の処理を行う（Ｓ５７）。以後、車載機器１００では、Ｎａｖｉ集約アプリケーションを介してスマートフォン２０から取得されるナビゲーションアプリケーションＮａｖｉＡの実行により生じる情報に従った処理がなされる。
【００７４】
なお、前述したように統合検索結果が表示部１３に表示された状態（図９参照）で、その表示を終了させる操作が操作部１２においてなされた（Ｓ６３でＹＥＳ）場合も、同様に、処理ユニット１１は、検索結果についての処理をスマートフォン２０に行わせることなく、図１２ＡのステップＳ５７に戻り、当初選択されたナビゲーションアプリケーションＮａｖｉＡを実行させて、その実行により生じる情報をＮａｖｉ集約アプリケーションを介して取得し、取得した情報の加工及び表示等の処理を行う。
【００７５】
前述したような本発明の第２の実施の形態に係る車載機器１００では、スマートフォン２０において３つのナビゲーションアプリケーションＮａｖｉＡ、ＮａｖｉＢ、ＮａｖｉＣのいずれかを実行させる際に、Ｎａｖｉ集約アプリケーションを介して当該ナビゲーションアプリケーションとともに他のナビゲーションアプリケーションが実行されてそれら３つのナビゲーションアプリケーションＮａｖｉＡ、ＮａｖｉＢ、ＮａｖｉＣにて施設検索処理がなされ、各ナビゲーションアプリケーションＮａｖｉＡ、ＮａｖｉＢ、ＮａｖｉＣでの施設検索処理により生じる情報（検索結果）がＮａｖｉ集約アプリケーションを介して取得されるようになる。このため、３つのナビゲーションアプリケーションＮａｖｉＡ、ＮａｖｉＢ、ＮａｖｉＣのいずれかを実行させて当該ナビゲーションアプリケーションに施設検索処理をさせようとすると、そのナビゲーションアプリケーションによる施設検索処理により生ずる情報（検索結果）だけでなく、他のナビゲーションアプリケーションによる施設検索により生ずる情報（検索結果）をも得ることができるようになる。従って、３つのナビゲーションアプリケーションＮａｖｉＡ、ＮａｖｉＢ、ＮａｖｉＣで施設検索処理をさせる個々的な操作を行うことなく、より簡易な操作にてスマートフォン２０に備えられた３つのナビゲーションアプリケーションＮａｖｉＡ、ＮａｖｉＢ、ＮａｖｉＣにて施設検索処理を実行させて効率的に検索結果（図９参照）を得ることができるようになる。
【００７６】
前記第２の実施の形態に係る車載機器１００では、スマートフォン２０において、Ｎａｖｉ集約アプリケーションにより、常に、３つのナビゲーションアプリケーションＮａｖｉＡ、ＮａｖｉＢ、ＮａｖｉＣに施設検索処理させるものであったが、第１の実施の形態に係る車載機器１００と同様に、既に起動しているナビゲーションアプリケーション（例えば、ＮａｖｉＡ）にだけ施設検索処理をさせることを選択することができるようにしてもよい（図７ＡのステップＳ３０参照）。
【００７７】
前述した各車載機器１００において、管理テーブル（図４参照）に登録された、また、Ｎａｖｉ集約アプリケーションと情報交換可能な３つのナビゲーションアプリケーションＮａｖｉＡ、ＮａｖｉＢ、ＮａｖｉＣの全てで施設検索処理をさせなくても、当初起動されたナビゲーションアプリケーション（例えば、ＮａｖｉＡ）に施設検索処理をさせるとともに、残りの２つのナビゲーションアプリケーション（例えば、ＮａｖｉＢ及びＮａｖｉＣ）のうちのいずれか一方に施設検索処理をさせるようにしてもよい。
【００７８】
また、複数の同種のアプリケーションは、ナビゲーションアプリケーションに限られず、例えば、情報検索アプリケーション等の他の種類のアプリケーションであってもよい。
【００７９】
車載機器１００に通信可能に接続される携帯端末は、スマートフォン２０に限られず、情報処理機能を備えた携帯電話、ＰＤＡ（Personal Digital Assistant）、ハンディパソコン等であってもよい。
【００８０】
スマートフォン２０等の携帯端末が、有線ではなく、無線にて車載機器１００に接続される構成とすることもできる。
【産業上の利用可能性】
【００８１】
本発明に係る車載機器は、より簡易な操作にて携帯端末に備えられた複数の同種のアプリケーションにて共通の処理を実行させてより効率的に情報を得ることができるという効果を有し、携帯端末が接続可能な車載ＡＶ機器等の車載機器として有用である。
【符号の説明】
【００８２】
１１  処理ユニット
１２  操作部
１３  表示部
１４  記憶部
１５  出力回路
１６  スピーカ
１７  ＡＶユニット
２０  スマートフォン
１００  車載機器
【図１】
0005622238.tif 000002
【図２】
0005622238.tif 000003
【図３】
0005622238.tif 000004
【図４】
0005622238.tif 000005
【図５】
0005622238.tif 000006
【図６】
0005622238.tif 000007
【図７Ａ】
0005622238.tif 000008
【図７Ｂ】
0005622238.tif 000009
【図７Ｃ】
0005622238.tif 000010
【図８】
0005622238.tif 000011
【図９】
0005622238.tif 000012
【図１０】
0005622238.tif 000013
【図１１】
0005622238.tif 000014
【図１２Ａ】
0005622238.tif 000015
【図１２Ｂ】
0005622238.tif 000016